(57)【特許請求の範囲】
【請求項１】
発話者の発声によって励起された空気振動を検出可能な加速度センサと、
前記加速度センサが固設され、前記発話者の身体に取り付け可能な長板状の取付部材と、を備え、
前記取付部材が前記発話者の身体に取り付けられ、前記発話者の発声によって励起された空気振動を検出する際、前記空気振動が前記発話者の身体に衝突することによって間接振動が励起され、前記発話者の身体及び前記取付部材を介して前記加速度センサに伝導した前記間接振動を前記空気振動と合わせて検出することが可能な発話検出装置。
【請求項２】
発話者の発声によって励起された空気振動を検出可能な加速度センサと、
前記加速度センサが固設され、前記発話者の身体に取り付け可能な長板状の取付部材と、を備え、
前記取付部材が前記発話者の身体に取り付けられ、前記発話者の発声によって励起された空気振動を検出する際、前記空気振動が前記取付部材に直接衝突することによって間接振動が励起され、前記取付部材を介して前記加速度センサに伝導した前記間接振動を前記空気振動と合わせて検出することが可能な発話検出装置。
【請求項３】
前記取付部材が、可撓性を有した長板状部材であり、
前記加速度センサが前記長板状部材の一方側の面に貼設されていることを特徴とする請求項１又は２に記載の発話検出装置。
【請求項４】
前記取付部材が、前記発話者の鼻腔部に取り付け可能な部材であり、
前記加速度センサが前記取付部材に固設されていることを特徴とする請求項１又は２に記載の発話検出装置。
【請求項５】
前記取付部材が、前記発話者の下顎部位に取り付け可能な部材であり、
前記加速度センサが前記取付部材に固設されていることを特徴とする請求項１又は２に記載の発話検出装置。
【請求項６】
請求項１〜５のうちいずれか１項に記載の発話検出装置を２つ以上有し、
前記発話検出装置のそれぞれが、
各加速度センサで検出した情報を相互に送受信する送受信部と、
前記送受信部で受信した情報を音声に変換し発する音声発生部と、を備えていることを音声通信システム。
【請求項７】
請求項１〜５のうちいずれか１項に記載の発話検出装置を２つ以上有し、
前記発話検出装置のそれぞれが、
各加速度センサで検出した情報を相互に送受信する送受信部と、
前記送受信部で受信した情報を音声振動に変換し発する音声振動発生部と、を備えていることを音声通信システム。
【発明の詳細な説明】
【技術分野】
【０００１】  本発明は、発話者の発声によって励起された空気振動を検出することが可能な発話検出装置、及び、該発話検出装置を含む音声通信システムに関する。
【背景技術】
【０００２】  従来から、発話者の発声によって励起された空気振動を検出することが可能な装置は公知となっており、例えば、下記特許文献１に示すような音声処理装置がある。該音声処理装置は、気導音マイクで発話者の発声により励起された空気振動を音声信号に変換して出力し、骨伝導音マイクで発声により生ずる身体振動を音声信号に変換して出力し、ノイズレベル判定回路で気導音マイクの出力中のノイズレベルを検知し、それに基づいてゲイン調整回路で気導音マイクの出力の音圧と骨伝導音マイクの出力の音圧を変えることにより、これらの２つの音声信号の音圧比を調整して出力し、音声認識装置でこれら出力された２つの音声信号を加算して音声認識装置に出力するものである。
【先行技術文献】
【特許文献】
【０００３】
【特許文献１】特開２００３−２６４８８３号公報
【発明の概要】
【発明が解決しようとする課題】
【０００４】  しかしながら、近年では、しかしながら、近年では、身体に長時間又は常時取り付けることができるように、上記特許文献１の装置よりもさらに小型の装置が望まれている。【０００５】  そこで、本発明の目的は、従来よりも小型で身体に長時間又は常時取り付けることができるとともに、発話者の発声情報を検出することが可能な発話検出装置、及び、該発話検出装置を用いた音声通信システムを提供することである。
【課題を解決するための手段】
【０００６】
（１）  一局面に従う発話検出装置は、発話者の発声によって励起された空気振動を検出可能な加速度センサと、前記加速度センサが固設され、前記発話者の身体に取り付け可能な長板状の取付部材と、を備え、前記取付部材が前記発話者の身体に取り付けられ、前記発話者の発声によって励起された空気振動を検出する際、前記空気振動が前記発話者の身体に衝突することによって間接振動が励起され、前記発話者の身体及び前記取付部材を介して前記加速度センサに伝導した前記間接振動を前記空気振動と合わせて検出することが可能なものである。他の局面に従う発話検出装置は、発話者の発声によって励起された空気振動を検出可能な加速度センサと、前記加速度センサが固設され、前記発話者の身体に取り付け可能な長板状の取付部材と、を備え、前記取付部材が前記発話者の身体に取り付けられ、前記発話者の発声によって励起された空気振動を検出する際、前記空気振動が前記取付部材に直接衝突することによって間接振動が励起され、前記取付部材を介して前記加速度センサに伝導した前記間接振動を前記空気振動と合わせて検出することが可能なものである。
【０００７】
上記（１）の加速度センサは一般的に従来の気導音マイクに比べて非常に小型（例えば、身体内部に取り付け可能な程度）である。つまり、加速度センサに合わせて取付部材も小型のものとすれば、上記（１）で示した２つの発話検出装置のうち少なくともいずれか１つを発話者の身体外部だけでなく身体内部にも取り付けることが可能である。したがって、発話者の身体に長時間又は常時取り付けることができる。また、例えば、上記（１）で示した２つの発話検出装置のうち少なくともいずれか１つを、咽頭部、喉頭部、気道、口腔部、鼻腔部、又は、これらの部位の付近などに取り付けることで、発話者の発声によって励起された空気振動を容易に検出することができる。したがって、該空気振動から発話者の音声情報を検出することが可能である。また、例え、発話者の音声が小さく聞き取りにくいものであっても、本発明に係る装置であれば、該音声を検出することが可能であるので、本発明に係る装置によって得た検出情報を増幅することで、聞き取りやすい音声に変換することも可能である。
【０００８】（２）  上記（１）の発話検出装置においては、前記取付部材が、可撓性を有した長板状部材であり、前記加速度センサが前記長板状部材の一方側の面に貼設されていることが好ましい。【０００９】  上記（２）の構成の発話検出装置は、例えば、義歯床安定用糊剤などを用いて、長板状部材の他方側の面を前記発話者の内側の歯に沿って貼り付けることが可能である。したがって、発話者の発声によって励起された空気振動を効率よく検出することが可能である。また、上記（２）の構成の発話検出装置は、粘着テープなどを用いて、喉の外表面（皮膚）に貼り付けることが可能である。したがって、発話者の発声によって励起された身体振動（発話時の声帯の振動）を効率よく検出することが可能である。【００１０】（３）  上記（１）の発話検出装置においては、前記取付部材が、前記発話者の鼻に取り付け可能な部材であり、前記加速度センサが前記取付部材に固設されていることが好ましい。【００１１】  上記（３）の構成の発話検出装置は、発話者の鼻腔部に取り付けることが可能である。したがって、発話者の発声によって励起されて鼻に伝わった身体振動又は鼻腔部内に伝わった空気振動を効率よく検出することが可能である。【００１２】（４）  上記（１）の発話検出装置においては、前記取付部材が、前記発話者の下顎部に取り付け可能な部材であり、前記加速度センサが前記取付部材に固設されていることが好ましい。【００１３】  上記（４）の構成によれば、下顎に発話検出装置を取り付けているので、発話者の発声によって励起された空気振動又は身体振動を効率よく検出することが可能であるだけでなく、下顎の動作情報をも検出することができる。これにより、発話者の発声が小さいものであっても、空気振動又は身体振動の情報と下顎の動作情報と組み合わせて、どの文字の発声を行っているかを判定することに用いることが可能となる。【００１４】（５）  他の局面に従う音声通信システムは、上記（１）〜（４）のうちいずれか１つの発話検出装置を２つ以上有しているものである。なお、前記発話検出装置のそれぞれは、各加速度センサで検出した情報を相互に送受信する送受信部と、前記送受信部で受信した情報を音声に変換し発する音声発生部と、を備えているものである。【００１５】  上記（５）の構成によれば、相互音声通信をすることができる。【００１６】（６）  他の局面に従う音声通信システムは、上記（１）〜（４）のうちいずれか１つの発話検出装置を２つ以上有しているものである。なお、前記発話検出装置のそれぞれは、各加速度センサで検出した情報を相互に送受信する送受信部と、前記送受信部で受信した情報を音声振動に変換し発する音声振動発生部と、を備えているものである。【００１７】  上記（６）の構成によれば、相互音声通信をすることができる。特に、送受信部で受信した情報を音声振動に変換する音声振動変換部を備えているので、この音声振動変換部を発話者の身体のうち耳に該音声振動が届く範囲内に取り付け、該音声振動を直に耳に伝導できるようにすれば、宇宙空間、水中などの発話者の発声が伝わりにくい環境下においても相互音声通信が可能となる。
【図面の簡単な説明】
【００１８】
【図１】本発明の実施形態に係る音声通信システムを示した概略構成図である。
【図２】本発明の実施例において用いた、発話検出装置を含む実験装置を示す概略構成図である。
【図３】図２に示した発話検出装置を、発話者の下顎の中切歯の前方中央に取り付けた状態を示す模式図である。
【図４】本発明の実施例における実験１の結果を示したグラフであって、ｘ軸方向についての発話時の下顎中切歯前部における加速度の時間変化を示したグラフである。
【図５】本発明の実施例における実験１の結果を示したグラフであって、ｙ軸方向についての発話時の下顎中切歯前部における加速度の時間変化を示したグラフである。
【図６】本発明の実施例における実験１の結果を示したグラフであって、ｚ軸方向についての発話時の下顎中切歯前部における加速度の時間変化を示したグラフである。
【図７】図４〜図６の所定部分を拡大するとともに合成したグラフである。
【図８】本発明の実施例の実験１における発話時の下顎中切歯の加速度のｘ軸方向のパワースペクトルを示すグラフである。
【図９】本発明の実施例の実験１における発話時の下顎中切歯の加速度のｙ軸方向のパワースペクトルを示すグラフである。
【図１０】本発明の実施例の実験１における発話時の下顎中切歯の加速度のｚ軸方向のパワースペクトルを示すグラフである。
【図１１】図８のグラフの一部の周波数帯を拡大して示したグラフである。
【図１２】図９のグラフの一部の周波数帯を拡大して示したグラフである。
【図１３】図１０のグラフの一部の周波数帯を拡大して示したグラフである。
【図１４】本発明の実施例の実験２におけるリップシンクロナイジングでの下顎中切歯前部の加速度の変化を示したグラフである。
【図１５】本発明の実施例の実験２におけるハミングでの下顎中切歯前部の加速度の変化を示したグラフである。
【図１６】本発明の実施例の実験２におけるリップシンクロナイジングでの下顎中切歯前部の加速度のパワースペクトルを示したグラフである。
【図１７】本発明の実施例の実験２におけるハミングでの下顎中切歯前部の加速度のパワースペクトルを示したグラフである。
【図１８】（ａ）が図２に示した発話検出装置の変形例に係るものの断面図であって、（ｂ）が図２に示した発話検出装置の別の変形例に係るものの断面図である。
【発明を実施するための形態】
【００１９】  以下、図１を参照して、本発明の実施形態に係る発話検出装置について説明する。
【００２０】  音声通信システム１００は、発話者の発声を検出することが可能な、一対の発話検出装置１０、２０を備えているものである。発話検出装置１０、２０のそれぞれは、二人の発話者のそれぞれの身体に取り付けて使用することができるようになっており、相互音声通信が可能となっているものである。
【００２１】  発話検出装置１０は、加速度センサ１１と、加速度センサ１１に接続されている無線送信器１２と、無線受信器１３と、無線受信器１３に接続されている信号発生器１４と、信号発生器１４に接続されている振動子（音声振動発生部）１５とを有しているものである。また、発話検出装置２０は、加速度センサ２１と、加速度センサ２１に接続されている無線送信器２２と、無線受信器２３と、無線受信器２３に接続されている信号発生器２４と、信号発生器２４に接続されている振動子２５とを有しているものである。
【００２２】  加速度センサ１１、２１のそれぞれは、圧電素子を単板状に加工したユニモルフからなっている。この圧電素子の材料としては、水晶でもよいしチタン酸ジルコン酸鉛（ＰＺＴ）でもよい。また、加速度センサ１１、２１のそれぞれは、金属板を介して２枚のユニモルフを張り合わせて用いるバイモルフにより構成してもよい。また、加速度センサ１１、２１のそれぞれは、ｘ軸、ｙ軸、ｚ軸方向の加速度を計測できる３軸加速度センサであってもよい。また加速度センサ１１、２１のそれぞれは、発話者の発声により励起された空気振動を検出可能なように身体（例えば、発話者の鼻部と唇部との間、唇部周囲、鼻腔部、下顎部、口腔部、咽頭部、喉頭部、気道、など、空気振動を検出可能な部位）に取付部材（例えば、可撓性を有したプラスチック、又は、所定の形状に形成された金属など）を介して装着できるようになっている。これらのような構成によって、加速度センサ１１、２１のそれぞれは、発話者の発声により生ずる空気振動を圧電効果により加速度として検知し、これを音声信号として電気信号化し、無線送信器１２、２２のそれぞれに出力することができるようになっている。ここで、変形例として、加速度センサ１１、２１のそれぞれは、加速度が錘に作用したときに発生する梁の歪みを、ピエゾ抵抗効果を利用して検出するピエゾ抵抗型のもの、又は、加速度が錘に作用したときの変位を、櫛歯電極などを用いて静電容量の変化で検出する静電容量型のものであってもよい。
【００２３】  無線送信器１２は、加速度センサ１１から出力された電気信号を無線受信器２３に送信するものである。また、無線送信器２２は、加速度センサ２１から出力された電気信号を無線受信器１３に送信するものである。
【００２４】  無線受信器１３は、無線送信器２２から送信された電気信号を受信することができるものであるとともに、該電気信号を信号発生器１４に出力するものである。また、無線受信器２３は、無線送信器１２から送信された電気信号を受信することができるものであるとともに、該電気信号を信号発生器２４に出力するものである。
【００２５】  信号発生器１４は、無線受信器１３から出力された電気信号を、振動子１５を振動させるための振動信号に変換し発生させ、振動子１５に出力するものである。また、信号発生器２４は、無線受信器２３から出力された電気信号を、振動子２５を振動させるための振動信号に変換し発生させ、振動子２５に出力するものである。
【００２６】  振動子１５は、信号発生器１４から出力された振動信号によって振動し、骨伝導などによって音声を耳に伝達することが可能なものである。また、振動子２５は、信号発生器２４から出力された振動信号によって振動し、骨伝導などによって音声を耳に伝達するものである。これら振動子１５、２５は、磁気回路を有した磁石などからなる駆動部（図示せず）と、コイルなどからなり、該駆動部によって振動する振動部（図示せず）とを備えたものである。
【００２７】  次に、音声通信システム１００の動作について説明する。まず、一方の発話者が発話することによって励起された空気振動を検知できるように、発話検出装置１０を一方の発話者の身体の所定箇所に取り付ける。同様に、他方の発話者が発話することによって励起された空気振動を検知できるように、発話検出装置２０を他方の発話者の身体の所定箇所に取り付ける。そして、一方の発話者が発話することによって励起された空気振動を、加速度センサ１１によって加速度として検知し、これを音声信号として電気信号化し、無線送信器１２に出力する。次に、上記音声信号が入力された無線送信器１２は、発話検出装置２０を取り付けた他方の発話者の無線受信器２３に上記音声信号を送信する。続いて、上記音声信号を受信した無線受信器２３は、受信した音声信号を信号発生器２４に出力する。続いて、信号発生器２４は、無線受信器２３から出力された電気信号を、振動子２５を振動させるための振動信号に変換し発生させ、振動子２５に出力する。これにより、振動子２５が振動し、人の顔又は骨を伝って他方の発話者の耳に到達するので、他方の発話者は、一方の発話者の音声を離れている場所又は音声の伝わりにくい場所で聞くことが可能となる。
【００２８】  同様に、他方の発話者が発話した際は、以下のようになる。すなわち、他方の発話者が発話することによって励起された空気振動を、加速度センサ２１によって加速度として検知し、これを音声信号として電気信号化し、無線送信器２２に出力する。次に、上記音声信号が入力された無線送信器２２は、発話検出装置１０を取り付けた一方の発話者の無線受信器１３に上記音声信号を送信する。続いて、上記音声信号を受信した無線受信器１３は、受信した音声信号を信号発生器１４に出力する。続いて、信号発生器１４は、無線受信器１３から出力された電気信号を、振動子１５を振動させるための振動信号に変換し発生させ、振動子１５に出力する。これにより、振動子１５が振動し、人の顔又は骨を伝って一方の発話者の耳に到達するので、一方の発話者は、他方の発話者の音声を離れている場所又は音声の伝わりにくい場所で聞くことが可能となる。
【００２９】  上記構成の発話検出装置１０、２０によれば、以下のような効果を奏することができる。すなわち、加速度センサ１１、２１は一般的に従来の気導音マイクに比べて非常に小型（例えば、身体内部に取り付け可能な程度）である。つまり、加速度センサ１１、２１に合わせて取付部材も小型のものとすれば、上記構成の発話検出装置を発話者の身体外部だけでなく身体内部にも取り付けることが可能である。したがって、発話者の身体に長時間又は常時取り付けることができる。また、例えば、発話検出装置１０、２０を、咽頭部、喉頭部、気道、口腔部、鼻腔部、又は、これらの部位の付近などに取り付けることで、発話者の発声によって励起された空気振動を容易に検出することができる。したがって、該空気振動から発話者の音声情報を検出することが可能である。また、例え、発話者の音声が小さく聞き取りにくいものであっても、発話検出装置１０、２０であれば、該音声を検出することが可能であるので、発話検出装置１０、２０によって得た検出情報を増幅することで、聞き取りやすい音声に変換することも可能である。
【００３０】  また、上記構成の音声通信システムによれば、相互音声通信をすることができる。特に、送受信部で受信した情報を音声振動に変換する振動子（音声振動変換部）１５、２５を備えているので、これら振動子１５、２５を各発話者の身体のうち耳に該音声振動が届く範囲内に取り付け、該音声振動を直に耳に伝導できるようにすれば、宇宙空間、水中などの発話者の発声が伝わりにくい環境下においても相互音声通信が可能となる。
【実施例】
【００３１】  以下、実施例を示しながら、本発明を具体的に説明する。なお、本実施例では、本発明の発話検出装置を用いた実験及びその結果を示す。【００３２】  図２は、本実施例で用いた発話検出装置２００を含む実験装置を示す概略搆成図である。発話検出装置２００は、プラスチック製であって可撓性の長尺シート状の取付部材３０（材質ＰＭＭＡ、長さ９０ｍｍ、幅７ｍｍ、厚み２００μｍ）と、取付部材３０の一方の面の略中央に取り付けられた加速度センサ３１（Ｆｒｅｅｓｃａｌｅ  Ｓｅｍｉｃｏｎｄｕｃｔｏｒ製、型番ＭＭＡ７３６０Ｌ）と、加速度センサ３１に接続された信号線３２と、を備えているものである。加速度センサ３１は、ｘ軸、ｙ軸、ｚ軸各方向の加速度を計測できる三軸加速度センサである。信号線３２は、電源４０と、加速度センサで検知した空気振動（加速度）を計測するためのオシロスコープ４１とに接続されている。【００３３】  図３は、図２に示した発話検出装置２００を、発話者の下顎の中切歯の前方中央に取り付けた状態を示す模式図である。なお、図３においては、唇、頬などの部位は省略している。また、図３における符号５０は下顎、符号５１は上顎、符号５２は中切歯、符号５３は臼歯、符号６０は義歯床安定用糊剤を示す。【００３４】  下記に示す各実験では、図３に示したように、取付部材３０の他方の面に義歯床安定用糊剤６０（商品名「クッションコレクト」（塩野義製薬（株）製））を厚さ３ｍｍ程度で塗布し、発話検出装置２００を発話者の下顎の中切歯の前方中央に貼り付けた状態で行った。【００３５】（実験１）
被験者（発話者）に、座位の静止状態で日本語母音の５文字「あいうえお」を発話してもらい、加速度センサ３１からの出力電圧波形をオシロスコープ４１（Ｔｅｋｔｒｏｎｉｘ製、ＤＳＡ７０８０４）で計測し、その電圧波形と加速度センサ３１の感度とを基に、ｘ軸、ｙ軸、ｚ軸各方向の時間的な加速度の変化を求めた。【００３６】（実験１の結果）
ｘ軸、ｙ軸、ｚ軸のそれぞれについて、発話時の下顎の中切歯５２前部における加速度の時間変化を示したグラフを順に、図４、図５、図６に示す。ここで、図６に示した「ａ、ｉ、ｕ、ｅ、ｏ」の発声タイミング（図６における各矢印）は、図４及び図５においても対応している。また、図７は、図４〜図６の所定部分を拡大するとともに合成したグラフである。図４〜図６を見ると、発話前（約１秒まで）の加速度はｘ軸およびｙ軸方向ではほぼ０Ｇであるのに対し、ｚ軸方向では−１Ｇ程度であることがわかる。これは、ｘ軸、ｙ軸方向が重力に対してほぼ垂直方向で、ｚ軸方向が重力の逆方向で一致していることを示している。図７のように、発話が始まると加速度は短い時間で激しく増減を繰り返し、図４〜図６の横軸のスケールにおいては、あたかも加速度が幅を持ったように見える。そして、その加速度の幅は一文字毎に変化しており、方向別に見るとｚ軸、ｘ軸、ｙ軸方向の順に顕著に変化している。更に、それら加速度の幅の中央値を見ると、ｙ軸方向においてはあまり変化していないが、ｘ軸およびｚ軸方向においては一文字毎に増減を操り返していることがわかる。この変化は、ｘ軸方向よりｚ軸方向の方が顕著であった。【００３７】  更に、詳細に発話時の加速度を検討するために、周波数解析を行った。その結果を図８〜図１０に示す。なお、図１１〜図１３の各グラフは、図８〜図１０のグラフの一部の周波数帯をそれぞれ拡大したものである。【００３８】  図８〜図１３から、ｘ軸、ｙ軸、ｚ軸全ての方向で２Ｈｚから１０Ｈｚまでと２００Ｈｚから３００Ｈｚまでのパワースペクトル密度が高く、この周波数範囲において低周波側と高周波側とで２つのピークがあることがわかった。ここで、ｘ軸、ｙ軸、ｚ軸方向毎のパワースペクトル密度を見ると、低周波（２Ｈｚから１０Ｈｚ）では、ｚ軸方向のパワースペクトル密度がｘ軸またはｙ軸方向のパワースペクトル密度より高く、高周波（２００Ｈｚから３００Ｈｚ）ではｘ軸、ｚ軸方向のパワースペクトル密度が同程度であり、ｙ軸方向のパワースペクトル密度より高くなった。このパワースペクトル密度が高くなった低周波側のピークについては、単純に被験者が１．５秒間に発話文字数（５文字）と同じだけ顎を動かしたと仮定すると３Ｈｚ程度となり、同程度の周波数に相当する。このことから、該低周波成分については顎の動きを検出していることがわかる。このことは、該低周波成分の中でも顎の運動方向と最も一致するｚ軸方向のパワースペクトルが他の方向のパワースペクトルより高くなっていることからもわかる。ちなみに、ｘ軸方向において、この低周波側のピークより低い１Ｈｚのパワースペクトル密度が高くなっている原因は、上記の理由で顎の動きとは考えにくいので、無意識での被験者の頭部の前後運動と推測している。【００３９】  一方、パワースペクトル密度が高くなった高周波域については、母音「お」及び「え」の第一フォルマント周波数とほぼ一致している。このことから、該高周波成分については発話の音声が骨伝導により下顎５０の中切歯５２に貼り付けた加速度センサ３１に伝わり現れていると考えられ、本加速度センサ３１において音声の検出も可能であることがわかった。特に、ｘ軸、ｚ軸方向のパワースペクトル密度が高いことから、音声を検出するには中切歯５２のｘ軸、ｚ軸方向の加速度を計測すれば良いと考えられる。ちなみに、５００Ｈｚ付近のパワースペクトル密度にも若干低いピークが見られるが、このピークも母音「い」及び「う」の第一フォルマント周波数とほぼ一致している。以上のことより、顎の動きを検出するには中切歯５２の上下（ｚ軸）方向の加速度を測定するのが良く、音声を検出するには中切歯５２の前後（ｘ軸）又は上下（ｚ軸）方向のそれを測定することが良いことがわかった。すなわち、中切歯５２の上下方向の加速度のみを測定すれば、顎の動きと音声という両方の発話検出を１軸の加速度センサのみで効率的に行うことも可能であることがわかった。【００４０】（実験２）
次に、発話者の顎の動きと音声とを個別に検討するため、音声を出さずに口を動作させた（以後、リップシンクロナイジングという）場合と、口を動かさずに音声を出す（以後、ハミングという）場合の中切歯５２の上下（ｚ軸）方向の加速度について測定した。ここで、リップシンクロナイジングでの下顎５０の中切歯５２前部の加速度の変化を図１４、ハミングでの下顎５０の中切歯５２前部の加速度の変化を図１５に示す。図１４に示したリップシンクロナイジング時の加速度は、被験者に音声を出さずに口を日本語母音「あいうえお」の形にまねてもらい測定した。一方、図１５に示したハミング時の加速度は、被験者に口を閉じてもらって顎を動かさずに日本語母音「あいうえお」を発声してもらい測定した。このとき、口を閉じた状態なので、外部には、はっきりとしない籠もった声に聞こえた。【００４１】  図１４のリップシンクロナイジングの結果を見ると、上記実験１の通常の発話時の結果とは異なり、加速度が短時間に増減を繰り返さないため、幅を持ったようにはならず、一文字毎に加速度が同調して変化していることがわかる。ちなみに、その大きさの差は最大０．５Ｇ程度であった。一方、図１５を見ると、上記実験１の結果と同じく、発声があると加速度が短い時間に増減を操り返し、幅をもったようになる。この幅は通常の発話時には０．６Ｇ程度であったのに対し、ハミング時では１．６Ｇ程度となり、極端に増大している。このことは、口を閉じているため、外部に音声が漏れず、音声が口の中で反響していることが原因であると推測される。また、この幅の中央値においては、上記実験１の通常の発話時の結果と異なり、ほぼ一定となった。【００４２】  次に、本実験において得られた、リップシンクロナイジングでの下顎５０の中切歯５２前部の加速度のパワースペクトルを図１６に示し、ハミングでの下顎５０の中切歯５２前部の加速度のパワースペクトルを図１７に示す。リップシンクロナイジング時には、上記実験１（図８〜図１３）の結果と同じく低周波（２Ｈｚから１０Ｈｚ）側のピークが存在しているが、高周波（２００Ｈｚから３００Ｈｚ）側においてはピークが存在せず、上記実験１の結果と異なった。ハミング時には、上記実験１の結果と異なり低周波側のピークがなく、高周波測においてはピークが存在し、上記実験１と同様の結果が得られた。これらのことから、顎が動きにより低周波側のピークが現れ、発声により高周波側のピークが現れていることが明確になった。このことより、中切歯５２の上下（ｘ軸）方向の加速度を測定し周波数解析を行うことで、発話、リップシンクロナイジング、ハミングの３つの状態が認識できることがわかった。【００４３】  上記実験１、２から、本発明に係る発話検出装置によって、発話者の発声によって励起された空気振動を効率よく検出することが可能であることがわかる。【００４４】  また、上記実験１、２から、本発明に係る発話検出装置によって、下顎の動作情報（動作変位量）を効率よく検出することができることもわかる。なお、該下顎の動作情報を用いれば、発話者の発声が小さいものであっても、空気振動の情報と下顎の動作情報と組み合わせて、どの文字の発声を行っているかを精度よく判定するこ���も可能となる。すなわち、予め検出した下顎の動作変位量に対応する音声を用意しておき、検出した動作変位量を該音声に変換できるようにしておけば、例えば、発話者が音声を発することができない状態の者であっても、又は、発話者が、宇宙空間、水中などにおいて音声が伝達しにくい環境にいる者であっても、該発話者の意思を検出することが可能となる。したがって、発話検出装置１０、２０は、発話者の意思を検出するのに用いることができる。【００４５】＜変形例＞
なお、本発明は、特許請求の範囲を逸脱しない範囲で設計変更できるものであり、上記実施形態及び実施例などに限定されるものではない。例えば、上記実施例に示した発話検出装置２００は、粘着テープなどを用いて、下顎の喉に近い部分又は喉の外表面（皮膚）に貼り付けて使用してもよい。このように使用した場合には、発話者の発声によって励起された身体振動（発話時の声帯の振動）を効率よく検出することも可能である。【００４６】  また、上記実施例では、歯に取り付けることができるものとしたが、この代わりに、取付部材を小さなものとして、発話者の鼻腔部に取り付け可能なものとして、発話者の発声によって励起されて該鼻腔部内に伝わった空気振動を効率よく検出する、又は、発話者の発声によって励起されて鼻に伝わった身体振動を効率よく検出することが可能である。具体的には、図１８（ａ）に示したように、鼻腔部に取り付けることができるように、柔軟性を有したチューブ状部材７１と、チューブ状部材７１の内壁に一端が固定されている可動板７２と、可動板７２に取り付けられた加速度センサ７３とを備えた発話検出装置７０が挙げられる。このような構成の発話検出装置７０が鼻腔部に取り付けられていれば、発話者の発声により伝わってきた空気振動又は身体振動、或いは、空気振動及び身体振動の両方によって可動板７２が振動することで、加速度センサ７３が発話者の発声を検出することができる。なお、図１８（ｂ）に示したような発話検出装置８０としてもよい。すわなち、図１８（ａ）に示した発話検出装置７０について、可動板７２の代わりに、先端に、特定周波数を捉えるための錘８４を設けた可動板８２を用いてもよい。ここで、符合８１、８３の部位は、図１８（ａ）に示した符合７１、７３の部位と同様の部位であるので、説明を省略する。なお、図１８（ｂ）に示した発話検出装置８０が鼻腔部に取り付けられていれば、例えば、錘８４を「あ」の発声を捉えることができるように設定しておくことで、発話者が行動していることを検出することも可能である。ここで、図１８（ｂ）の変形例として、加速度センサ８３を取り外すとともに、錘８４に代えて別の加速度センサを可動板８２の先端に取り付けることとしてもよい。また、図１８（ａ）、（ｂ）に示した発話検出装置は、他の部位（例えば、咽頭部、喉頭部、気道、口腔部など）にも同様に適用可能である。なお、ここで示した加速度センサには外部との通信手段（図示せず）が接続されており、外部へ検出信号を送信することができるようになっている。【００４７】  また、上記実施形態における発話検出装置１０、２０においては振動子１５、２５（音声振動発生部）を用いたが、これらの代わりに、単に音声を発声するスピーカー又はイヤホンなど（音声発生部）を用いることとしてもよい。【００４８】  上記実施形態の発話検出装置１０においては、無線送信器１２と無線受信器１３とを別個にしたものを示したが、この代わりに、上記実施形態の発話検出装置２０における無線送信器２２及び無線受信器２３と送受信が可能で、送受信機能が一体となった送受信器を用いてもよい。【００４９】  上記実施形態及び実施例の発話検出装置は、発話者の顔の内部（例えば、咽頭部、喉頭部���気道、口腔部、鼻腔部、又は、これらの部位の付近など）に埋め込むこととしてもよい。また、取付部材を義歯として、加速度センサを義歯内部に埋め込んだものとしてもよい。【００５０】  上記実施形態では、相互通信可能な音声通信システム１００を示したが、例えば、発話検出装置１０の加速度センサ１１、無線送信器１２と、発話検出装置２０の無線受信器２３、信号発生器２４、振動子２５との構成だけで、一方向への送信システムとしてもよい。このとき、振動子２５の代わりに、音声を発生する音声発生器又は光を発生する光発生器を用いて、発話者が発声していることを検知するとともに、該検知結果を他人に報知するシステムとしてもよい。【００５１】  また、上記実施形態では、下顎の中切歯付近に加速度センサが位置するように発話検出装置が取り付けられているが、これに限られず、下顎部であれば何れの位置に取り付けられていてもよい。
【符号の説明】
【００５２】１０、２０、７０、８０、２００    発話検出装置
１１、２１    加速度センサ
１２、２２    無線送信器
１３、２３    無線受信器
１４、２４    信号発生器
１５、２５    振動子
３０    取付部材
３１、７３    加速度センサ
３２    信号線
４０    電源
４１    オシロスコープ
５０    下顎
５１    上顎
５２    中切歯
５３    臼歯
６０    義歯床安定用糊剤
７１    チューブ状部材
７２    可動板
１００    音声通信システム
【図１】
0005555900.tif 000002
【図２】
0005555900.tif 000003
【図３】
0005555900.tif 000004
【図４】
0005555900.tif 000005
【図５】
0005555900.tif 000006
【図６】
0005555900.tif 000007
【図７】
0005555900.tif 000008
【図８】
0005555900.tif 000009
【図９】
0005555900.tif 000010
【図１０】
0005555900.tif 000011
【図１１】
0005555900.tif 000012
【図１２】
0005555900.tif 000013
【図１３】
0005555900.tif 000014
【図１４】
0005555900.tif 000015
【図１５】
0005555900.tif 000016
【図１６】
0005555900.tif 000017
【図１７】
0005555900.tif 000018
【図１８】
0005555900.tif 000019